【手続補正書】
【提出日】平成30年5月25日(2018.5.25)
【手続補正１】
【補正対象書類名】特許請求の範囲
【補正対象項目名】全文
【補正方法】変更
【補正の内容】
【特許請求の範囲】
【請求項１】
複数のレンズ群を有し、ズーミングまたはフォーカシングに際して隣り合うレンズ群の間隔が変化するズームレンズにおいて、
正の屈折力のレンズ群Ｌｐ１と、
該レンズ群Ｌｐ１の像側に隣接して配置された正の屈折力のレンズ群Ｌｐ２と、
該レンズ群Ｌｐ２の像側に隣接して配置された正の屈折力のレンズ群Ｌｐ３と、
前記レンズ群Ｌｐ１の物体側に配置され、１つ以上のレンズ群を含む前方レンズ系を有し、
前記前方レンズ系の広角端における合成焦点距離は負であり、
無限遠から近距離へのフォーカシングに際して前記レンズ群Ｌｐ２は光軸に沿って像側に移動し、
前記レンズ群Ｌｐ２の焦点距離をｆｐ２、広角端において無限遠にフォーカスしているときの前記レンズ群Ｌｐ２の横倍率をβｐ２ｗ、広角端における全系の焦点距離をｆｗとするとき、
１．５＜ｆｐ２／ｆｗ＜１０．０
１．０＜｜βｐ２ｗ｜
なる条件式を満足することを特徴とするズームレンズ。
【請求項２】
前記レンズ群Ｌｐ３の焦点距離をｆｐ３とするとき、
０．５５＜ｆｐ２／ｆｐ３＜５．００
なる条件式を満足することを特徴とする請求項１に記載のズームレンズ。
【請求項３】
前記レンズ群Ｌｐ１と前記レンズ群Ｌｐ２と前記レンズ群Ｌｐ３より構成される合成レンズ系の広角端における焦点距離をｆｐｗとするとき、
０．２＜ｆｗ／ｆｐｗ＜１．０
なる条件式を満足することを特徴とする請求項１または２に記載のズームレンズ。
【請求項４】
前記レンズ群Ｌｐ３の像側に配置され、１つ以上のレンズ群を含む後方レンズ系を有し、
広角端における前記後方レンズ系の焦点距離をｆｒｗ、前記レンズ群Ｌｐ１と前記レンズ群Ｌｐ２と前記レンズ群Ｌｐ３より構成される合成レンズ系の広角端における焦点距離をｆｐｗとするとき、
１．０＜｜ｆｒｗ／ｆｐｗ｜
なる条件式を満足することを特徴とする請求項１乃至３のいずれか１項に記載のズームレンズ。
【請求項５】
望遠端において無限遠にフォーカスしているときの前記レンズ群Ｌｐ２の横倍率をβｐ２ｔとするとき、
１．０＜｜βｐ２ｔ｜
なる条件式を満足することを特徴とする請求項１乃至４のいずれか１項に記載のズームレンズ。
【請求項６】
広角端に比べて望遠端において前記レンズ群Ｌｐ２と前記レンズ群Ｌｐ３の光軸上の間隔が広くなるように、ズーミングに際して前記レンズ群Ｌｐ２と前記レンズ群Ｌｐ３が移動することを特徴とする請求項１乃至５のいずれか１項に記載のズームレンズ。
【請求項７】
広角端に比べて望遠端において前記レンズ群Ｌｐ１と前記レンズ群Ｌｐ２の光軸上の間隔が狭くなるように、ズーミングに際して前記レンズ群Ｌｐ１と前記レンズ群Ｌｐ２が移動することを特徴とする請求項１乃至６のいずれか１項に記載のズームレンズ。
【請求項８】
前記レンズ群Ｌｐ２より物体側に配置されているレンズ系の広角端における合成焦点距離は負であることを特徴とする請求項１乃至７のいずれか１項に記載のズームレンズ。
【請求項９】
前記レンズ群Ｌｐ１の焦点距離をｆｐ１とするとき、
２．０＜ｆｐ１／ｆｗ＜４０．０
なる条件式を満足することを特徴とする請求項１乃至８のいずれか１項に記載のズームレンズ。
【請求項１０】
広角端において無限遠にフォーカスしているときの前記レンズ群Ｌｐ１の横倍率をβｐ１ｗとするとき、
１．１＜｜βｐ１ｗ｜
なる条件式を満足することを特徴とする請求項１乃至９のいずれか１項に記載のズームレンズ。
【請求項１１】
広角端における前記前方レンズ系の焦点距離をｆｆ１、広角端における前記前方レンズ系と前記レンズ群Ｌｐ２の合成焦点距離をｆｆ２とするとき、
−４．０＜ｆｆ１／ｆｗ＜−０．５
−６．０＜ｆｆ２／ｆｗ＜−０．５
なる条件式を満足することを特徴とする請求項１乃至１０のいずれか１項に記載のズームレンズ。
【請求項１２】
前記ズームレンズは、物体側より像側へ順に配置された、正の屈折力の第１レンズ群、負の屈折力の第２レンズ群、正の屈折力の第３レンズ群、正の屈折力の第４レンズ群、正の屈折力の第５レンズ群、負の屈折力の第６レンズ群、正の屈折力の第７レンズ群より構成され、
ズーミングに際して各レンズ群が移動し、
前記第３レンズ群が前記レンズ群Ｌｐ１に相当し、前記第４レンズ群が前記レンズ群Ｌｐ２に相当し、前記第５レンズ群が前記レンズ群Ｌｐ３に相当することを特徴とする請求項１乃至１１のいずれか１項に記載のズームレンズ。
【請求項１３】
前記ズームレンズは、物体側より像側へ順に配置された、負の屈折力の第１レンズ群、正の屈折力の第２レンズ群、正の屈折力の第３レンズ群、正の屈折力の第４レンズ群、負の屈折力の第５レンズ群、正の屈折力の第６レンズ群より構成され、
ズーミングに際して各レンズ群が移動し、
前記第２レンズ群が前記レンズ群Ｌｐ１に相当し、前記第３レンズ群が前記レンズ群Ｌｐ２に相当し、前記第４レンズ群が前記レンズ群Ｌｐ３に相当することを特徴とする請求項１乃至１１のいずれか１項に記載のズームレンズ。
【請求項１４】
請求項１乃至１３のいずれか１項のズームレンズと、該ズームレンズによって形成された像を受光する固体撮像素子を有することを特徴とする撮像装置。
【手続補正２】
【補正対象書類名】明細書
【補正対象項目名】００１２
【補正方法】変更
【補正の内容】
【００１２】
本発明の撮影光学系は、
複数のレンズ群を有し、ズーミングまたはフォーカシングに際して隣り合うレンズ群の間隔が変化するズームレンズにおいて、
正の屈折力のレンズ群Ｌｐ１と、
該レンズ群Ｌｐ１の像側に隣接して配置された正の屈折力のレンズ群Ｌｐ２と、
該レンズ群Ｌｐ２の像側に隣接して配置された正の屈折力のレンズ群Ｌｐ３と、
前記レンズ群Ｌｐ１の物体側に配置され、１つ以上のレンズ群を含む前方レンズ系を有し、
前記前方レンズ系の広角端における合成焦点距離は負であり、
無限遠から近距離へのフォーカシングに際して前記レンズ群Ｌｐ２は光軸に沿って像側に移動し、
前記レンズ群Ｌｐ２の焦点距離をｆｐ２、広角端において無限遠にフォーカスしているときの前記レンズ群Ｌｐ２の横倍率をβｐ２ｗ、広角端における全系の焦点距離をｆｗとするとき、
１．５＜ｆｐ２／ｆｗ＜１０．０
１．０＜｜βｐ２ｗ｜
なる条件式を満足することを特徴とする。
【手続補正３】
【補正対象書類名】明細書
【補正対象項目名】００１６
【補正方法】変更
【補正の内容】
【００１６】
光学系中に正の屈折力のレンズ群Ｌｐ１と、レンズ群Ｌｐ１の像側に隣接して配置された正の屈折力のレンズ群Ｌｐ２と、レンズ群Ｌｐ２の像側に隣接して配置された正の屈折力のレンズ群Ｌｐ３を有する。更にレンズ群Ｌｐ１の物体側に配置された１つ以上のレンズ群を含む前方レンズ系を有する。前方レンズ系の広角端における合成焦点距離は負である。無限遠から近距離へのフォーカシングに際してレンズ群Ｌｐ２は光軸に沿って像側に移動する。ここでレンズ群とはズーミング又はフォーカシングに際して光軸方向のレンズ間隔によって分けられるレンズ系をいい、１枚以上のレンズより構成される。
【手続補正４】
【補正対象書類名】明細書
【補正対象項目名】００４０
【補正方法】変更
【補正の内容】
【００４０】
各実施例において更に好ましくは次の条件式のうち１以上を満足するのが良い。レンズ群Ｌｐ３の焦点距離をｆｐ３とする。レンズ群Ｌｐ１と、レンズ群Ｌｐ２と、レンズ群Ｌｐ３よりなる合成レンズ系の広角端における焦点距離をｆｐｗとする。レンズ群Ｌｐ３の像側に配置され、１つ以上のレンズ群より構成される後方レンズ系が配置されており、広角端における後方レンズ系の焦点距離をｆｒｗとする。望遠端において無限遠にフォーカスしているときのレンズ群Ｌｐ２の横倍率をβｐ２ｔとする。レンズ群Ｌｐ１の焦点距離をｆｐ１とする。